(57)【要約】【課題】安定して取り付け可能なプラグ受け装置及びベッド装置を提供する。【解決手段】実施形態によれば、プラグ受け装置は、プラグ受けモジュールを含む。プラグ受けモジュールは、第１部材、第２部材及びプラグ受け部を含む。第１部材は、第１方向に延びる第１部分と、第１部分と接続され第１方向と交差する第２方向に延びる第２部分と、を含む。プラグ受け部は、第１部材に保持される。第２部材は、第１部材に取り付けることが可能である。第２部材は、第３〜第５部分を含む。第５部分の１つの端部は第３部分と接続され、第５部分の別の端部は第４部分と接続される。第２部材が第１部材に取り付けられたときにおいて、第３部分は第１部分に固定され、第４部分は第２方向において第１部材と離れ、第５部分は第１方向において第２部分と離れ、第１方向において、第２部分はプラグ受け部と第５部分との間にある。【選択図】図１
2020137725.tif 000002
【特許請求の範囲】
【請求項１】
第１方向に延びる第１部分と、前記第１部分と接続され前記第１方向と交差する第２方向に延びる第２部分と、を含む第１部材と、
前記第１部材に保持されたプラグ受け部であって、前記プラグ受け部は、１つ以上のプラグ受けを含む、前記プラグ受け部と、
前記第１部材に取り付けることが可能な第２部材であって、前記第２部材は、第３部分、第４部分及び第５部分を含み、前記第５部分の１つの端部は前記第３部分と接続され、前記第５部分の別の端部は前記第４部分と接続され、前記第２部材が前記第１部材に取り付けられたときにおいて、前記第３部分は前記第１部分に固定され、前記第４部分は前記第２方向において前記第１部分と離れ、前記第５部分は前記第１方向において前記第２部分と離れ、前記第１方向において、前記第２部分は前記プラグ受け部と前記第５部分との間にある、前記第２部材と、
を含むプラグ受けモジュールを備えたプラグ受け装置。
【請求項２】
前記第２部材は、第６部分及び第７部分をさらに含み、
前記第６部分は、前記第１方向及び前記第２方向を含む平面と交差する第３方向において前記第４部分から離れ、
前記第７部分は、前記第３方向において前記第５部分から離れ、
前記第７部分の１つの端部は前記第３部分と接続され、前記第７部分の別の端部は前記第６部分と接続された、請求項１記載のプラグ受け装置。
【請求項３】
前記プラグ受け部は、プラグが挿入される挿入面を含み、
前記挿入面は、前記第１方向に対して傾斜した、請求項１または２に記載のプラグ受け装置。
【請求項４】
前記第２部分は、第１端部及び第２端部を含み、
前記第１端部は前記第１部分と接続され、前記第１端部から前記第２端部への方向は前記第２方向に沿い、
前記挿入面は、第３端部及び第４端部を含み、
前記第３端部の前記第２方向における位置は、前記第１端部の前記第２方向における位置と前記第４端部の前記第２方向における位置と、の間にあり、
前記第３端部と前記第２部分との間の前記第１方向に沿う距離は、前記第４端部と前記第２部分との間の前記第１方向に沿う距離よりも長い、請求項３記載のプラグ受け装置。
【請求項５】
前記プラグ受けモジュールは、筐体を含み、
前記筐体は、前記挿入面から突出した庇部を含む、請求項３または４に記載のプラグ受け装置。
【請求項６】
前記筐体の上面は、
前記プラグ受け部の上の第１領域と、
前記第２部分の上の第２領域と、
を含み、
前記第１領域は、前記第２領域に対して傾斜している、請求項５記載のプラグ受け装置。
【請求項７】
前記プラグ受けは、２つのプラグ受け孔と、アース線受け孔と、を含む、請求項１〜６のいずれか１つに記載のプラグ受け装置。
【請求項８】
前記プラグ受け部は、複数のプラグ受けを含む、請求項１〜７のいずれか１つに記載のプラグ受け装置。
【請求項９】
複数の前記プラグ受けモジュールを備えた、請求項１〜８のいずれか１つに記載のプラグ受け装置。
【請求項１０】
前記プラグ受けモジュールは、ベッドに取り付けることが可能であり、
前記ベッドは、第１フレーム及び第２フレームを含み、前記第１フレームの延びる第１ベッド方向は、前記第２フレームの延びる第２ベッド方向と交差し、
前記プラグ受けモジュールが前記ベッドに取り付けられたときにおいて、前記第２部材は前記第１部材に取り付けられ、前記第１部分と前記第４部分との間に、前記第１フレームがあり、前記第１ベッド方向における前記第２フレームの位置は、前記第１ベッド方向における前記第５部分の位置と、前記第１ベッド方向における前記第７部分の位置と、の間にある、請求項２記載のプラグ受け装置。
【請求項１１】
前記ベッドは、前記第２フレームを前記第１フレームに固定する固定部材をさらに含み、
前記固定部材の少なくとも一部は、前記第５部分と前記第７部分との間にある、請求項１０記載のプラグ受け装置。
【請求項１２】
請求項１０または１１に記載のプラグ受け装置と、
前記ベッドと、
を含むベッド装置。
【発明の詳細な説明】
【技術分野】
【０００１】
本発明の実施形態は、プラグ受け装置及びベッド装置に関する。
【背景技術】
【０００２】
例えば、ベッドの周辺において、種々の医療機器が用いられる。医療機器の電源用のプラグと接続されるためプラグ受け装置（「コンセント」または「電源タップ」）がベッドに設けられる。ベッドに安定して取り付けされるプラグ受け装置が望まれる。
【先行技術文献】
【特許文献】
【０００３】
【特許文献１】特許第６２３６４７７号公報
【発明の概要】
【発明が解決しようとする課題】
【０００４】
本発明の実施形態は、安定して取り付け可能なプラグ受け装置及びベッド装置を提供する。
【課題を解決するための手段】
【０００５】
本発明の実施形態によれば、プラグ受け装置は、プラグ受けモジュールを含む。プラグ受けモジュールは、第１部材、第２部材及びプラグ受け部を含む。前記第１部材は、第１方向に延びる第１部分と、前記第１部分と接続され前記第１方向と交差する第２方向に延びる第２部分と、を含む。前記プラグ受け部は、前記第１部材に保持され、１つ以上のプラグ受けを含む。前記第２部材は、前記第１部材に取り付けることが可能である。前記第２部材は、第３部分、第４部分及び第５部分を含む。前記第５部分の１つの端部は前記第３部分と接続され、前記第５部分の別の端部は前記第４部分と接続される。前記第２部材が前記第１部材に取り付けられたときにおいて、前記第３部分は前記第１部分に固定され、前記第４部分は前記第２方向において前記第１部材と離れ、前記第５部分は前記第１方向において前記第２部分と離れ、前記第１方向において、前記第２部分は前記プラグ受け部と前記第５部分との間にある。
【発明の効果】
【０００６】
本発明の実施形態によれば、安定して取り付け可能なプラグ受け装置及びベッド装置が提供できる。
【図面の簡単な説明】
【０００７】
【図１】図１（ａ）及び図１（ｂ）は、第１実施形態に係るプラグ受け装置を例示する模式的斜視図である。
【図２】図２（ａ）及び図２（ｂ）は、第１実施形態に係るプラグ受け装置を例示する模式的断面図である。
【図３】図３（ａ）及び図３（ｂ）は、第１実施形態に係るプラグ受け装置を例示する模式的斜視図である。
【図４】図４は、第１実施形態に係るプラグ受け装置の一部を例示する模式的斜視図である。
【図５】図５（ａ）及び図５（ｂ）は、第１実施形態に係るプラグ受け装置の使用例を例示する模式的斜視図である。
【図６】図６（ａ）及び図６（ｂ）は、第１実施形態に係るプラグ受け装置を例示する模式図である。
【図７】図７（ａ）〜図７（ｅ）は、第１実施形態に係るプラグ受け装置を例示する模式図である。
【図８】図８は、第２実施形態に係るベッド装置を例示する模式的斜視図である。
【図９】図９は、実施形態に係るベッド装置を例示する模式的斜視図である。
【図１０】図１０（ａ）〜図１０（ｃ）は、実施形態に係るベッド装置の一部を例示する模式図である。
【図１１】図１１（ａ）及び図１１（ｂ）は、実施形態に係るベッド装置の一部を例示する模式図である。
【図１２】図１２（ａ）〜図１２（ｃ）は、実施形態に係るベッド装置の一部を例示する模式図である。
【図１３】図１３（ａ）及び図１３（ｂ）は、実施形態に係るベッド装置の一部を例示する模式図である。
【図１４】図１４は、実施形態に係るベッド装置の一部を例示する模式図である。
【図１５】図１５は、実施形態に係るベッド装置の一部を例示する模式図である。
【図１６】図１６（ａ）及び図１６（ｂ）は、実施形態に係るベッド装置の一部を例示する模式図である。
【図１７】図１７（ａ）〜図１７（ｃ）は、実施形態に係るベッド装置の動作を例示する模式的斜視図である。
【図１８】図１８（ａ）及び図１８（ｂ）は、実施形態に係るベッド装置の使用状態を例示する模式的斜視図である。
【図１９】図１９は、実施形態に係るベッド装置を例示する模式図である。
【図２０】図２０（ａ）及び図２０（ｂ）は、実施形態に係るベッド装置の一部を例示する模式図である。
【図２１】図２１（ａ）及び図２１（ｂ）は、実施形態に係るベッド装置の一部を例示する模式図である。
【図２２】図２２は、実施形態に係るベッド装置の一部を例示する模式図である。
【図２３】図２３は、実施形態に係るベッド装置の一部を例示する模式的斜視図である。
【図２４】図２４は、実施形態に係るベッド装置の一部を例示する模式図である。
【図２５】図２５（ａ）及び図２５（ｂ）は、実施形態に係るベッド装置の一部を例示する模式図である。
【発明を実施するための形態】
【０００８】
以下に、本発明の各実施の形態について図面を参照しつつ説明する。  
本願明細書と各図において、既出の図に関して前述したものと同様の要素には同一の符号を付して詳細な説明は適宜省略する。
【０００９】
（第１実施形態）
図１（ａ）及び図１（ｂ）は、第１実施形態に係るプラグ受け装置を例示する模式的斜視図である。  
図２（ａ）及び図２（ｂ）は、第１実施形態に係るプラグ受け装置を例示する模式的断面図である。  
図２（ａ）及び図２（ｂ）は、図１（ａ）のＡ１−Ａ２線断面図である。
【００１０】
図１（ａ）に示すように、実施形態に係るプラグ受け装置２１０は、プラグ受けモジュール２１０Ｍを含む。プラグ受けモジュール２１０Ｍは、プラグ受け部３０を含む。プラグ受け部３０は、１つ以上のプラグ受けを含む。この例では、プラグ受けは、第１プラグ受け３１及び第２プラグ受け３２を含む。これらのプラグ受けは、プラグ受け部３０の挿入面３０ｆに設けられる。挿入面３０ｆに、プラグが挿入される。プラグは、例えば、医療機器などの電源を供給するための配線のコネクタである。
【００１１】
例えば、プラグ受けモジュール２１０Ｍは、筐体４０を含む。プラグ受け部３０のうちの挿入面３０ｆを除く部分が、筐体４０の中に設けられる。
【００１２】
図２（ａ）及び図２（ｂ）に示すように、プラグ受けモジュール２１０Ｍは、プラグ受け部３０に加えて、第１部材１０及び第２部材２０をさらに含む。
【００１３】
プラグ受け部３０は、第１部材１０に保持される。例えば、プラグ受け部３０、第１部材１０及び筐体４０は、一体化され、１つの構造体４８（図１（ｂ）参照）となる。一方、第２部材２０は、この構造体と分離されることが可能である。第２部材２０は、この構造体を別の部材（例えばベッドのフレームなど）に取り付ける時に用いられる。図１（ｂ）は、第２部材２０が、構造体４８から分離された状態を例示している。
【００１４】
図２（ａ）及び図２（ｂ）に示すように、第１部材１０は、第１部分１１及び第２部分１２を含む。第１部分１１は、第１方向Ｄ１に延びる。第２部分１２は、第１部分１１と接続される。第２部分１２は、第２方向Ｄ２に延びる。第２方向Ｄ２は、第１方向Ｄ１と交差する。この例では、第２方向Ｄ２は、第１方向Ｄ１に対して実質的に垂直である。
【００１５】
第２部材２０は、第１部材１０に取り付けることが可能である。第２部材２０は、第３部分２３、第４部分２４及び第５部分２５を含む。第５部分２５の１つの端部２５ａは、第３部分２３と接続されている。第５部分２５の別の端部２５ｂは第４部分２４と接続されている。
【００１６】
第２部材２０が第１部材１０に取り付けられたときにおいて、第３部分２３は第１部分１１に固定される。第３部分２３の第１部分１１への固定は、例えば、固定部材２８ａ（図２（ａ）参照）などにより行われる。固定部材２８ａは、例えば、ネジなどを含む。
【００１７】
第２部材２０が第１部材１０に取り付けられたときにおいて、第４部分２４は第２方向Ｄ２において第１部分１１と離れている。第２部材２０が第１部材１０に取り付けられたときにおいて、第５部分２５は第１方向Ｄ１において第２部分１２と離れてる。第１方向Ｄ１において、第２部分１２はプラグ受け部３０と第５部分２５との間にある。
【００１８】
第２部材２０が第１部材１０に取り付けられたときにおいて、第１部分１１と第４部分２４との間、及び、第２部分１２と第５部分２５と、の間に、空間１５が形成される。後述するように、この空間１５に、ベッドのフレームなどが位置する。構造体４８は、第１部材１０及び第２部材２０により、フレームなどに取り付けられる。
【００１９】
実施形態においては、フレームは、上下方向、及び、前後方向の両方で、第１部材１０及び第２部材２０により挟まれて押さえられる。プラグ受け装置２１０は、フレームなどに安定して固定できる。実施形態によれば、安定して取り付け可能なプラグ受け装置を提供できる。
【００２０】
既に説明したように、プラグ受け部３０は、プラグが挿入される挿入面３０ｆを含む。図１（ａ）及び図２（ａ）に示すように、挿入面３０ｆは、第１方向Ｄ１に対して傾斜している。これにより、プラグ受け装置２１０がベッドのフレームなどに取り付けられたときに、挿入面３０ｆは、下側を向く。上方から液体などの物質が落ちたときに、その物質が挿入面３０ｆに付着することが抑制される。安全で衛生的なプラグ受け装置を提供できる。
【００２１】
図２（ａ）に示すように、例えば、第２部分１２は、第１端部１２ａ及び第２端部１２ｂを含む。第１端部１２ａは第１部分１１と接続される。第１端部１２ａから第２端部１２ｂへの方向は、第２方向Ｄ２に沿う。第１端部１２ａは、例えば、上側の端部である。第２端部１２ｂは、下側の端部である。
【００２２】
図２（ａ）に示すように、挿入面３０ｆは、第３端部３０ｆｃ及び第４端部３０ｆｄを含む。第３端部３０ｆｃの第２方向Ｄ２における位置は、第１端部１２ａの第２方向Ｄ２における位置と、第４端部３０ｆｄの第２方向Ｄ２における位置と、の間にある。第３端部３０ｆｃは、上側の端部である。第４端部３０ｆｄは、下側の端部である。
【００２３】
図２（ａ）に示すように、第３端部３０ｆｃと第２部分１２との間の第１方向Ｄ１に沿う距離を第１距離ｄ１とする。第４端部３０ｆｄと第２部分１２との間の第１方向Ｄ１に沿う距離を第２距離ｄ２とする。第１距離ｄ１は、第２距離ｄ２よりも長い。
【００２４】
挿入面３０ｆがこのような方向に傾斜することで、上方から落ちた物質が挿入面３０ｆに付着することが抑制される。
【００２５】
図２（ａ）に示すように、筐体４０の上面４０ｕは、第１領域４０ａ及び第２領域４０ｂを含む。第１領域４０ａは、プラグ受け部３０の上にある。第２領域４０ｂは、第２部分１２の上にある。
【００２６】
実施形態において、第１領域４０ａは、第２領域４０ｂに対して傾斜していることが好ましい。例えば、第１領域４０ａは、第２領域４０ｂよりも下にある。例えば、第１領域４０ａと第２端部１２ｂとの間の第２方向Ｄ２に沿う距離は、第２領域４０ｂと第２端部１２ｂとの間の第２方向Ｄ２に沿う距離よりも短い。第１領域４０ａを第２領域４０ｂに対して傾斜させることで、例えば、筐体４０の上面４０ｕに液体などの物質が落ちたときに、その物質は第１領域４０ａへ向かい、第２領域４０ｂに留まり難い。安全で衛生的なプラグ受け装置を提供できる。
【００２７】
図２（ａ）に示すように、この例においては、筐体４０は、庇部４５を含む。庇部４５は、挿入面３０ｆから突出する。庇部４５により、例えば、液体などの物質が挿入面３０ｆに付着することが抑制される。安全で衛生的なプラグ受け装置を提供できる。
【００２８】
庇部４５は、第２方向Ｄ２において、挿入面３０ｆと重ならない。液体などの物質が挿入面３０ｆに付着することが確実に抑制される。
【００２９】
図１（ｂ）に示すように、この例では、第２部材２０は、第３〜第５部分２３〜２５に加えて、第６部分２６及び第７部分２７をさらに含む。第６部分２６は、第３方向Ｄ３において、第４部分２４から離れる。第３方向Ｄ３は、第１方向Ｄ１及び第２方向Ｄ２を含む平面と交差する。第７部分２７は、第３方向Ｄ３において第５部分２５から離れている。第７部分２７の１つの端部２７ａは第３部分２３と接続される。第７部分２７の別の端部２７ｂは、第６部分２６と接続される。
【００３０】
第２部材２０が第６部分２６及び第７部分２７を含むことで、例えば、第１部材１０と第６部分２６とにより、ベッドのフレームなどに、構造体４８がより安定して固定できる。例えば、第１部材１０と第７部分２７とにより、ベッドのフレームに構造体４８がより安定して固定できる。
【００３１】
図３（ａ）及び図３（ｂ）は、第１実施形態に係るプラグ受け装置を例示する模式的斜視図である。  
図３（ａ）は、プラグ受け装置２１０（プラグ受けモジュール２１０Ｍ）の裏面を例示している。図３（ａ）は、第２部材２０が第１部材１０に取り付けられたときの状態を例示している。プラグ受け部３０は筐体４０の中にあるため、図３（ａ）において、プラグ受け部３０は描かれていない。図３（ｂ）において、プラグ受け装置２１０（プラグ受けモジュール２１０Ｍ）に含まれる部品が互いに離されて描かれている。
【００３２】
既に説明したように、第２部材２０が第１部材１０に取り付けられたときに、第４部分２４は第２方向Ｄ２において第１部分１１と離れている（図３（ａ）参照）。そして、第２部材２０が第１部材１０に取り付けられたときにおいて、第５部分２５は第１方向Ｄ１において第２部分１２と離れてる。第１方向Ｄ１において、第２部分１２はプラグ受け部３０と第５部分２５との間にある。図３（ａ）に示すように、第２部材２０が第１部材１０に取り付けられたときに、第６部分２６は第２方向Ｄ２において第１部材１０と離れている。第２部材２０が第１部材１０に取り付けられたときにおいて、第７部分２７は第１方向Ｄ１において第２部分１２と離れてる。第１方向Ｄ１において、第２部分１２はプラグ受け部３０と第７部分２７との間にある。
【００３３】
後述するように、プラグ受け装置２１０（プラグ受けモジュール２１０Ｍ）がベッドのフレームなどに取り付けられたときに、フレームは、第１部分１１及び第４部分２４の組み、及び、第１部分１１及び第６部分２６の組みにより、より安定して固定できる。フレームは、第２部分１２及び第５部分２５の組み、及び、第２部分１２及び第７部分２７の組みにより、より安定して固定できる。
【００３４】
図３（ｂ）に示すように、筐体４０は、例えば、上部分４１、下部分４２及び前部分４３を含む。上部分４１と下部分４２との間にプラグ受け部３０が設けられる。前部分４３の端は、上部分４１と接続される。前部分４３の別の端は、下部分４２と接続される。前部分４３の開口部４３ｏにおいて、プラグ受け部３０の挿入面３０ｆ（図１（ａ）参照）が露出する。
【００３５】
図４は、第１実施形態に係るプラグ受け装置の一部を例示する模式的斜視図である。  
図４に示すように、この例では、第１部材１０は、側部１３及び側部１４を含む。側部１３及び側部１４は、第２部分１２と連続している。第１部材１０は、例えば、１つの金属板を折り曲げることにより形成できる。側部１３と側部１４との間に、プラグ受け部３０が設けられる。
【００３６】
第２部材２０は、例えば、１つの金属板を折り曲げることにより形成できる。第２部材２０が第１部材１０に取り付けられる際に、第４部分２４の端部２４ｅが第２部分１２に設けられた孔１２ｐに挿入される。第２部材２０が第１部材１０に取り付けられる際に、第６部分２６の端部２６ｅが第２部分１２に設けられた孔１２ｑに挿入される。これにより、第２部材２０が第１部材１０に、安定した位置で取り付けられることが可能である。
【００３７】
実施形態において、第２部材２０は第１部材１０と、４カ所で固定可能である。すなわち、２つの固定部材２８ａ（ねじなど）、端部２４ｅ及び孔１２ｐの組み、及び、端部２６ｅ及び孔１２ｑの組みにより、固定が行われる。これらの固定の場所は、例えば、左右対称である。
【００３８】
孔１２ｐ及び孔１２ｑのそれぞれにおいて、上部の幅は、下部の幅よりも広い。端部２４ｅ及び端部２６ｅがこれらの孔を通りやすく、位置の制限が緩和される。第３部分２３には孔が設けられている。固定部材２８ａは、この孔を通って第１部分１１と結合される。孔の奥行き方向の長さは、左右方向の長さ（幅）よりも長い。位置の制限が緩和される。
【００３９】
プラグ受け装置２１０がベッドのフレームに取り付けられるときにおいて、第１部分１１と第４部分２４との間、及び、第１部分１１と第６部分２６との間にフレームが位置する。この状態で、固定部材２８ａにより、第１部材１０と第２部材２０とが固定される。例えば、第５部分２５及び第７部分２７のそれぞれの第２方向Ｄ２の長さは、フレームの第２方向Ｄ２の長さよりも少し短くしても良い。第５部分２５及び第７部分２７が少したわむことで、固定力をより強くすることができる。固定部材２８ａが緩むことが抑制できる。
【００４０】
図４に示すように、第１部分１１及び第３部分２３に孔（四角形状の孔）が設けられても良い。筐体４０の上部分４１に突起部が設けられ、この突起部は、この孔にとかみ合っても良い。上部分４１の位置の固定が容易になる。筐体４０の上部分４１が第１部分１１に密着し易くなる。突起部の先端にフック部が設けられ、フック部が、第２部材２０の孔の周りの部分にフックされる。これにより、上部分４１と第１部材１０との結合が強化される。例えば、筐体４０の上部分４１に上からの力が加わったときにも、上部分４１が第１部材１０から外れることが抑制できる。
【００４１】
図４に示すように、側部１３及び側部１４は、第２部分１２から下斜め方向に延在する。側部１３及び側部１４のそれぞれの端部分は、内側に折り曲げられる。プラグ受け部３０は、左右方向において、側部１３及び側部１４に挟まれる。プラグ受け部３０は、前後方向において、側部１３及び側部１４のそれぞれの端部分と、第２部分１２と、に挟まれる。プラグ受け部３０は、側部１３及び側部１４のそれぞれに設けられた孔（長孔）を介して、ねじなどにより固定できる。
【００４２】
図５（ａ）及び図５（ｂ）は、第１実施形態に係るプラグ受け装置の使用例を例示する模式的斜視図である。  
図５（ａ）は、プラグ受け装置２１０（プラグ受けモジュール２１０Ｍ）が取り付けられるベッド１１０のフレームを例示している。図５（ｂ）は、プラグ受け装置２１０（プラグ受けモジュール２１０Ｍ）の取り付けられた状態を例示している。
【００４３】
図５（ａ）に示すように、ベッド１１０は、第１フレーム７１及び第２フレーム７２を含む。第１フレーム７１の延びる第１ベッド方向は、第２フレーム７２の延びる第２ベッド方向と交差する。
【００４４】
例えば、２つの第１フレーム７１が設けられる。２つの第１フレーム７１は、Ｘ軸方向に延びる。上記の第１ベッド方向は、例えば、Ｘ軸方向に沿う。
【００４５】
Ｘ軸方向に対して垂直な１つの方向をＹ軸方向とする。Ｘ軸方向及びＹ軸方向に対して垂直な方向をＺ軸方向とする。例えば、Ｘ軸方向に沿うベッドの長さは、Ｙ軸方向に沿うベッドの長さよりも長い。Ｙ軸方向は、例えば、ベッドの左右方向である。Ｚ軸方向は、ベッドの高さ方向である。２つの第１フレーム７１は、Ｙ軸方向において互いに離れる。
【００４６】
第２フレーム７２は、例えば、Ｙ軸方向に延びる。上記の第２ベッド方向は、例えば、Ｙ軸方向に沿う。この例では、２つの第２フレーム７２は、Ｘ軸方向に互いに離れて設けられている。２つの第２フレーム７２のそれぞれは、２つの第１フレーム７１に保持される。
【００４７】
図５（ｂ）に示すように、この例では、ベッド１１０は、固定部材７２Ｃを含む。固定部材７２Ｃは、第２フレーム７２を第１フレーム７１に固定する。
【００４８】
実施形態に係るプラグ受け装置２１０（プラグ受けモジュール２１０Ｍ）は、例えば、第２フレーム７２が第１フレーム７１に取り付けられている部分に設けられる。
【００４９】
図５（ｂ）に示すように、プラグ受け装置２１０（プラグ受けモジュール２１０Ｍ）がベッド１１０に取り付けられるときに、第２部材２０がベッド１１０の一部を挟んで第１部材１０に取り付けられる。例えば、第１部分１１と第４部分２４との間に、ベッド１１０の第１フレーム７１が位置することが可能である。第１部分１１と第６部分２６との間に、ベッド１１０の第１フレーム７１が位置することが可能である。そして、第１ベッド方向（Ｘ軸方向）における第２フレーム７２の位置は、第１ベッド方向における第５部分２５の位置と、第１ベッド方向における第７部分２７の位置と、の間にある。この例では、接続部材７２Ｃの少なくとも一部は、第５部分２５と第７部分２７との間にある。
【００５０】
実施形態においては、第５部分２５と第７部分２７との間に接続部材７２Ｃがあることにより、プラグ受け装置２１０（プラグ受けモジュール２１０Ｍ）が、Ｘ軸方向に沿って移動することが実質的に生じない。プラグ受け装置２１０（プラグ受けモジュール２１０Ｍ）が、より安定に取り付けられる。
【００５１】
実施形態において、接続部材７２Ｃが用いられずに、第２フレーム７２が第１フレーム７１に取り付けられても良い。この場合、例えば、第２フレーム７２の少なくとも一部は、第５部分２５と第７部分２７との間にあっても良い。
【００５２】
図５（ａ）及び図５（ｂ）に示すように、ケーブル８２及び８３などにより、プラグ受け装置２１０（プラグ受けモジュール２１０Ｍ）に電力が供給される。これらのケーブルは、例えば、第１フレーム７１または第２フレーム７２などに固定される。
【００５３】
図１（ａ）に示すように、プラグ受け（例えば第１プラグ受け３１）は、２つのプラグ受け孔（第１プラグ受け孔３１ａ及び第２プラグ受け孔３１ｂ）と、アース線受け孔（第３プラグ受け孔３１ｃ）と、を含む。第２プラグ受け３２も、同様に、２つのプラグ受け孔（第１プラグ受け孔３１ａ及び第２プラグ受け孔３１ｂ）と、アース線受け孔（第３プラグ受け孔３１ｃ）と、を含む。アース線受け孔が設けられることで、安全なプラグ受け装置を提供できる。
【００５４】
第１プラグ受け孔３１ａは、例えば、ニュートラルブレート（端子）に対応する。第２プラグ受け孔３１ｂは、例えばライブブレード（端子）に対応する。例えば、ニュートラルブレートは、ライブブレードよりも上にある。第１プラグ受け３１のニュートラルブレートから、第２プラグ受け３２のニュートラルブレートへの方向は、横方向（例えば、第３方向Ｄ３）に沿うことが好ましい。隣あるには複数のブレードの電位が同じことで、短絡が生じた場合においても、より安全になる。
【００５５】
図１（ａ）に示すように、プラグ受け部３０は、複数のプラグ受け（第１プラグ受け３１及び第２プラグ受け３２など）を含むことが好ましい。
【００５６】
実施形態に係るプラグ受け装置２１０は、例えば、医療用のベッドに適用される。医療用のベッドにおいて、例えば、ＤＶＴ（深部静脈血栓症）治療用のフットポンプ、エアマットレス、及び、コンピュータ端末などが用いられる。このため、複数のプラグ受けが求められる。複数のプラグ受けの数が５以上の場合、プラグ受け装置２１０の電流容量が定格値を超え易くなる。プラグ受け装置２１０に１つのプラグ受けモジュール２１０Ｍが設けられる場合、１つのプラグ受けモジュール２１０Ｍに設けられる複数のプラグ受けの数は、４以下であることが好ましい。例えば、プラグ受け装置２１０に２つのプラグ受けモジュール２１０Ｍが設けられる場合、１つのプラグ受けモジュール２１０Ｍに設けられる複数のプラグ受けの数は、２であることが好ましい。電流容量が定格値以下にしやすい。
【００５７】
図６（ａ）及び図６（ｂ）は、第１実施形態に係るプラグ受け装置を例示する模式図である。  
図６（ａ）に示すように、プラグ受け装置２１０は、複数のプラグ受けモジュール２１０Ｍが設けられても良い。この例では、複数のプラグ受けモジュール２１０Ｍの数は２である。１つのプラグ受けモジュール２１０Ｍは、別のプラグ受けモジュール２１０Ｍと、ケーブル８２により電気的に接続されている。１つのプラグ受けモジュール２１０Ｍは、プラグ８１とケーブル８３により電気的に接続される。プラグ８１から、電力が、２つのプラグ受けモジュール２１０Ｍに供給される。
【００５８】
図６（ｂ）に示すように、ケーブル８２及び８３は、プラグ受け部３０よりも下側に引き出される。これにより、これらのケーブルのフレームへの取り付けが安定し易い。ケーブル８２及び８３などは、例えば、第１フレーム７１及び第２フレーム７２など（図５（ａ）参照）に沿って固定される。
【００５９】
これらのケーブルは、床に接触しない状態で、フレームなどに固定できる。これにより、衛生的なプラグ受け装置２１０が提供できる。ケーブル８２は、例えば、プラグ受けモジュール２１０Ｍの背面から取り出される。例えば、ケーブルの屈曲の応力を小さくできる。例えば、筐体４０の下端は、フレームよりも下方向に突出している。これにより、ケーブル８２及び８３などが、ベッドのフレームを避けることができる。
【００６０】
図７（ａ）〜図７（ｅ）は、第１実施形態に係るプラグ受け装置を例示する模式図である。  
これらの図に示すように、２つのプラグ受けモジュール２１０Ｍの接続は種々の変形が可能である。例えば、第１プラグ受け孔３１ａ（ニュートラルブレート）と、第２プラグ受け孔３１ｂ（ライブブレード）と、の間の上下の位置関係は、任意である。
【００６１】
図７（ａ）〜図７（ｄ）に示す例においては、隣合うブレード（端子）が短絡しても電流が流れない。図７（ａ）〜図７（ｄ）の構成がより望ましい。
【００６２】
図７（ａ）及び図７（ｄ）に示す例において、プラグ受けモジュール２１０Ｍがベッド足側の左右の２箇所に設置されると、左右でプラグ受の差込口の向きが逆になる。この場合、例えば、ベッド右側においては、アース差込口が頭側にあり、ベッド左側においては、アース差込口が足側にある。または、その反対になる。使用者にとってはベッドの右側でもベッド左側でも、差し込み口が同じなので、電源ケーブルを持ち変える必要がなく、挿し易い。
【００６３】
図７（ｂ）及び図７（ｃ）に示す例においては、プラグ受けモジュール２１０Ｍがベッド足側の左右の２箇所に設置されると、左右でプラグ受の差込口の向きが同じになる。例えば、ベッド右側でも左側でもアース差込口が頭側にある。または、ベッド右側でも左側でもアース差込口が足側にある。使用者にとっては、ベッドの右側とベッド左側で、差し込み口が異なる。この場合、使用者は、電源ケーブルを持ち変えて差込口に挿入する。挿入が若干難しい。
【００６４】
（第２実施形態）  
第２実施形態は、ベッド装置１１０に係る。  
図８は、第２実施形態に係るベッド装置を例示する模式的斜視図である。  
図８に示すように、ベッド装置１１０は、第１実施形態に係るプラグ受け装置２１０と、ベッド７０と、を含む。ベッド７０は、フレームを含む。フレームは、例えば、第１フレーム７１及び第２フレーム７２（図５（ａ）参照）を含む。
【００６５】
この例では、プラグ受け装置２１０は、２つのプラグ受けモジュール２１０Ｍを含む。２つのプラグ受けモジュール２１０Ｍの１つは、ベッド７０の頭側に設けられる。２つのプラグ受けモジュール２１０Ｍの別の１つは、ベッド７０の足側に設けられる。
【００６６】
実施形態に係るベッド装置１１０によれば、安定して取り付け可能なプラグ受け装置を含むベッド装置が提供できる。
【００６７】
実施形態は、例えば、ベッド組み付け式医療用のプラグ受け装置に関する。例えば、病院などのＩＣＵなどで、複数のＭＥ（Medical Engineering）機器が使用される。このため、壁などに設けられるプラグ受けだけでは、プラグ受けの数が不十分である。例えば、多くのＭＥ機器が使用される場合、その配線が床に置かれると、配線につまづく可能性もある。例えば、ＭＥ機器の電源ケーブルが壁側に集中すると、配線が複雑化する。一方、ベッドを搬送するときには、そのベッドで用いられているＭＥ機器の配線を一度外すことになり、煩雑である。安全で利便性を向上させ、衛生的なプラグ受けが求められる。
【００６８】
実施形態においては、プラグ受け部３０を第１部材１０及び第２部材２０により、例えばフレームなどに安定して固定できる。例えば、第２部材２０が第５部分２５及び第７部分２７を含むことで、第２フレーム７２に対する位置が固定され、プラグ受け装置２１０の取り付け位置がより安定になる。
【００６９】
例えば、２つのプラグ受けモジュール２１０Ｍを設ける。２つのプラグ受けモジュール２１０Ｍの１つは、ベッドの頭側に固定される。２つのプラグ受けモジュール２１０Ｍの別の１つは、ベッドの足側に固定される。２つのプラグ受けモジュール２１０のそれぞれは、２つ以上のプラグ受けを含む。これにより、医療機器が設けられる位置に応じた配線がより容易に提供できる。例えば、医療機器の設けられる位置の制限が改善される。実施形態においては、電流の容量が定格以下にし易い。
【００７０】
例えば、生命維持装置などはベッドの頭側に設けられる。一方、検査機器などはベッドの足側に設けられる。ベッドの頭側と足側とにプラグ受けモジュール２１０Ｍを設けることで、より便利になる。
【００７１】
例えば、プラグ受け装置２１０のプラグ８１は、ベッドのプラグ（図示しない）とは別に設けられる。これにより、定格の電流を超えない電源の供給が容易になる。
【００７２】
実施形態においては、例えば、筐体４０の上面４０ｕの第１領域４０ａ（前部分）が下向きに傾斜している。さらに、庇部４５が設けられる。挿入面３０ｆも下向きに傾斜している。これにより、例えば、薬品などの飛沫、または、飛散した各種の液体が挿入面３０ｆに付着することが抑制される。
【００７３】
実施形態において、例えば、第１部材１０及び第２部材２０は、金属板により形成される。これにより高い強度が得られる。
【００７４】
以下、実施形態に係るベッド装置の例について説明する。  
図９は、実施形態に係るベッド装置を例示する模式的斜視図である。  
図９に示すように、ベッド装置３１０において、頭右側サイドレール３２０、足右側サイドレール３３０、頭左側サイドレール３４０、足左側サイドレール３５０、ヘッドボード３６０及びフットボード３７０を含む。
【００７５】
これらのサイドレールは、例えば、ベッド３１０Ｂのフレーム３９０Ｆに設けられる。ベッド３１０Ｂのフレーム３９０Ｆの上にボトム（図９では図示しない）が設けられ、その上に、マットレス３９０Ｍが設けられる。マットレス３９０Ｍの上にベッド３１０Ｂの使用者が横たわることができる。ベッド装置３１０は、例えば、病院、介護施設または家庭などで使用される。
【００７６】
ベッド装置３１０は、例えば、電動ベッドである。ベッド装置３１０は、ベッド３１０Ｂの使用者、または、介護者などにより操作されることが可能である。
【００７７】
頭右側サイドレール３２０及び頭左側サイドレール３４０の角度（例えば、水平面を基準にしたときの角度）は、変更可能である。例えば、背上げ、または、背下げなどが可能である。例えば、背ボトム７０ａ（図１７（ｂ）参照）の角度が変わることにより、背ボトム７０ａに取り付けられている頭右側サイドレール３２０及び頭左側サイドレール３４０の角度が、背ボトム７０ａに追従して変化する。
【００７８】
足右側サイドレール３３０及び足左側サイドレール３５０の高さは、変更可能である。足右側サイドレール３３０及び足左側サイドレール３５０が高い位置にあるときおいて、例えば、使用者がベッド３１０Ｂから落ちることを予防できる。足右側サイドレール３３０及び足左側サイドレール３５０が低い位置にあるときおいて、例えば、足右側サイドレール３３０及び足左側サイドレール３５０の上から、使用者がベッド３１０Ｂから離床し易い。
【００７９】
頭右側サイドレール３２０は、外側面３２０Ｆ及び内側面３２０Ｇを含む。足右側サイドレール３３０は、外側面３３０Ｆ及び内側面３３０Ｇを含む。頭左側サイドレール３４０は、外側面３４０Ｆ及び内側面３４０Ｇを含む。頭左側サイドレール３４０は、外側面３５０Ｆ及び内側面３５０Ｇを含む。
【００８０】
頭右側サイドレール３２０の外側面３２０Ｆ及び内側面３２０Ｇ、並びに、頭左側サイドレール３４０の外側面３４０Ｆ及び内側面３４０Ｇには、各種のスイッチなどが設けられている。外側面のスイッチは、例えば、介護者または医療従事者（例えば、医師、看護師または理学療法士など）に操作されることが便利であるように設計される。これらの内側面にも、各種のスイッチなどが設けられている。内側面のスイッチは、例えば、ベッド３１０Ｂの使用者に操作されることが便利であるように設計される。これらのスイッチの例については後述する。
【００８１】
頭右側サイドレール３２０、足右側サイドレール３３０、頭左側サイドレール３４０及び足左側サイドレール３５０のそれぞれの上部分に、ハンドレール３２５ｇ、３３５ｇ、３４５ｇ及び３５５ｇが設けられている。これらのハンドレールの上下方向の幅は、外側よりも内側において、狭い。これにより、例えば、使用者はこれらのハンドレールを掴み易い。
【００８２】
足右側サイドレール３３０の及び足左側サイドレール３５０のそれぞれにおいて、ハンドレール３３５ｇ及び３５５ｇの上面の幅は広く設計されている。使用者は、これらの上面に座ること（端座位）ができる。これにより、例えば、使用者が端座位の時に、太ももの裏が痛くならない。
【００８３】
頭右側サイドレール３２０の外側面３２０Ｆ及び頭左側サイドレール３４０の外側面３４０Ｆに凹部が設けられている。この凹部に、ベッド操作装置３８０を取り付けることが可能である。さらに、フットボード３７０の外側面３７０Ｆにベッド操作装置３８０を取り付けることが可能である。ベッド操作装置３８０については、後述する。
【００８４】
以下、サイドレールの例について説明する。
【００８５】
図１０（ａ）〜図１０（ｃ）は、実施形態に係るベッド装置の一部を例示する模式図である。  
図１０（ａ）に示すように、頭右側サイドレール３２０の上部分には、貫通孔３２５ｈが設けられている。貫通孔３２５ｈにより、ハンドレール３２５ｇが形成される。
【００８６】
頭右側サイドレール３２０の上部分には、凸部３２５ａ、凹部３２５ｂ、頭側凸部３２５ｃ及び頭側凹部３２５ｄが、さらに、設けられている。凸部３２５ａは、例えば、使用者の体を支える支持部として使用できる。頭右側サイドレール３２０が立ち上がったとき（背上げ状態）に、凹部３２５ｂは、例えば、使用者の体を支える支持部として使用できる。
【００８７】
使用者は、頭側凸部３２５ｃを掴み易い。例えば、背上げまたは背下げのときに、使用者の体を、頭側凸部３２５ｃにより支持し易い。頭側凸部３２５ｃには、貫通孔が設けられている。これにより、頭側凸部３２５ｃは、ハンドレールとして使用できる。
【００８８】
頭側凹部３２５ｄに医療用の各種のラインを入れることができる。各種のラインが安定し易い。医療用の各種のラインは、例えば、人工呼吸器、及び、各種のＭＥ機器などの、ケーブルまたは管を含む。頭側凹部３２５ｄに各種のラインを通すことで、たとえば、これらのラインが絡まることが抑制できる。
【００８９】
頭右側サイドレール３２０の外側面３２０Ｆに、スイッチ部３２３、角度計３２４、貫通孔３２５ｅ（例えばフック部）及び下部貫通孔３２５ｆ（例えばハルンバッグフック）が設けられている。貫通孔３２５ｅに、ベッド操作装置３８０を吊すことができる。下部貫通孔３２５ｆにハルンバッグを吊すことができる。下部貫通孔３２５ｆに、ゴミ箱などを吊すことができる。例えば、貫通孔３２５ｅの下方に、孔３２８ｈが設けられる。ベッド操作装置３８０のケーブルが、孔３２８ｈを通ることができる。ケーブルは、孔３２８ｈを介して、ベッド装置３１０に設けられたコネクタに電気的に接続される。ケーブルが床に付いてしまうことが抑制できる。ケーブルを短くすることができる。
【００９０】
図１０（ｂ）は、スイッチ部３２３を例示している。  
スイッチ部３２３は、例えば、メンブレンスイッチ（例えば、医療従事者用メンブレンスイッチ）である。スイッチ部３２３は、スイッチ３２３ａ〜３２３ｑを含む。
【００９１】
スイッチ３２３ａが押されると、「カーディアック上げ」が行われる。スイッチ３２３ｂが押されると、「カーディアック下げ」が行われる。「カーディアック上げ」により、ベッド３１０Ｂは、カーディアックポジション（図１７（ｂ）参照））となる。「カーディアック上げ」カーディアックポジションに向けて、背ボトム７０ａと膝ボトム７０ｂとの角度が極端に小さくならない状態で、膝ボトム７０ｂが水平角度よりも上がった状態を保ちながら、ベッド３１０Ｂは動作する。背ボトム７０ａと膝ボトム７０ｂとの角度が極端に小さくならない状態において、角度は、９０度未満である。背ボトム７０ａと膝ボトム７０ｂとの角度が極端に小さくならない状態において、使用者に腹圧がかかりすぎるのを防ぎつつ、安楽な姿勢を保たれる。例えば、膝を上げずに傾斜させてしまうと、使用者が滑り落ちる場合がある。膝ボトム７０ｂが水平角度よりも上がった状態にすることで、使用者が滑り落ちることが抑制される。「カーディアック下げ」により、背角度が０度で、膝角度が０度で、傾斜角度が０度である状態に向けて、背ボトム７０ａと膝ボトム７０ｂとの間の角度が極端に小さくならない状態で、膝ボトム７０ｂが水平角度よりも上がった状態を保ちながら、ベッド３１０Ｂは動作する。
【００９２】
スイッチ３２３ｃが押されると、「逆展伸」が行われる。スイッチ３２３ｈが押されると、「展伸」が行われる。「展伸」において、頭が下がる。「逆展伸」において、足が下がる。
【００９３】
スイッチ３２３ｄが押されると、「カインド上げ」が行われる。「カインド上げ」においては、背ボトム７０ａ及び膝ボトム７０ｂの角度が連動して変化する。スイッチ３２３ｉが押されると、「カインド下げ」が行われる。「カインド下げ」においては、これらのボトムの角度が連動して変化する。例えば、背ボトム７０ａ及び膝ボトム７０ｂの角度が連動して大きくなるときにおいて、最初に膝ボトム７０ｂの角度が大きくなり、その後で、他のボトムの角度が大きくなる。これにより、患者（使用者）がずれることが抑制される。「カインド上げ」において、背ボトム７０ａの角度が７０度である状態が、動作完了角度に対応する。膝ボトム７０ｂの角度は、背ボトム７０ａの角度に追従した角度になる。
【００９４】
「カインド上げ」において、最初は、背角度が０度であり、膝角度が０度である。次に、背角度が５度になり、膝角度が０度になる。次に、背角度が１５度になり、膝角度が１０度になる。さらに、背角度が３０度になり、膝角度が２５度になり、背角度が５０度になり、膝角度が２５度になる。その後、背角度が７０度になり、膝角度が０度になる。「カインド上げ」において、途中までは背角度及び膝角度は連動して大きくなる。ある背角度以上になると、膝角度は０度に向けて小さくなる。
【００９５】
「カインド下げ」において、最初は、背角度は７０度であり、膝角度は０度である。つぎは、背角度は５０度になり、膝角度は２５度になる。さらに、背角度は、３０度になり、膝角度は、２５度になる。さらに、背角度は１５度になり、膝角度は２０度になる。さらに、背角度は０度になり、膝角度は５度になる。その後、背角度は０度になり、膝角度は０度になる。
【００９６】
スイッチ３２３ｅが押されると、「背上げ」が行われる。スイッチ３２３ｊが押されると、「背下げ」が行われる。
【００９７】
スイッチ３２３ｆが押されると、「膝上げ」が行われる。スイッチ３２３ｋが押されると、「膝下げ」が行われる。
【００９８】
スイッチ３２３ｇが押されると、「高さ上げ」が行われる。スイッチ３２３ｌが押されると、「高さ下げ」が行われる。ベッド３１０Ｂが傾斜状態で高さを上げると、傾斜角度を維持したまま高さが上がる。「下げ」も同様である。さらに傾斜状態のまま、最高床高になるとベッド３１０Ｂは一度止まる。ベッド３１０Ｂが止まった後に、再度、高さ上げボタン（スイッチ３２３ｇ）がおされると、ベッド３１０Ｂの高さが上がることを優先し、傾斜角度を０度にしながら、高さが上がる。「下げ」も同様である。
【００９９】
「上げ」のためのスイッチ３２３ｃ〜３２３ｇは、「下げ」のためのスイッチ３２３ｈ〜３２３ｌよりも上にある。例えば、ベッド３１０Ｂの使用者が、スイッチ部３２３のスイッチを意図せずに触ること可能性がある。このとき、ベッド３１０Ｂの使用者は、下側部分よりも上側部分を触りやすい。「上げ」のためのスイッチ３２３ｃ〜３２３ｇが上側にあることで、使用者が上側部分を誤って触った場合においても、スイッチ３２３ｈ〜３２３ｌを触った場合に比べてリスクがより抑制できる。
【０１００】
スイッチ３２３ｍが押されると、「ＣＰＲ下げ」が行われる。「ＣＰＲ下げ」においては、ＣＰＲ（Cardio Pulmonary Resuscitation）に適したベッド状態になる。「ＣＰＲ下げ」の状態において、膝ボトム７０ｂ及び足ボトム７０ｃがフラットになる。「ＣＰＲ下げ」において、ベッド３１０Ｂの床高が低くされる。傾斜状態の場合は、傾斜角度も０度になる。例えば、動作順序は、以下である。背角度を０度にする（背ボトム７０ａを動かしている間、膝ボトムも０度に近づける）。つぎに、傾斜角度を０度にする。つぎに、高さを下げる。つぎに、膝角度を０度にする。例えば、ベッド３１０Ｂが最低床高の状態になっても良い。例えば、ベッド３１０Ｂにおいて、「高さ下げ」の動作により、一旦停止する位置（一旦停止高さ）が設けられても良い。「ＣＰＲ下げ」の前の状態において、高さがこの一旦停止高さよりも高い場合、「ＣＰＲ下げ」により、ベッド３１０Ｂの高さは、一旦停止高さにされる。一旦停止高さにおいて、床からボトム上面までの距離は、約４２ｃｍである。
【０１０１】
例えば、１つの例において、スイッチ３２３ｍが「長押し」されると「ＣＰＲ下げ」が行われる。「長押し」の時間は例えば２秒以上である。別の例において、スイッチ３２３ｍが「２度押し」されると、「ＣＰＲ下げ」が行われる。スイッチ３２３ｍが「２度押し」される場合において、「１度目の押し」と「２度目の押し」との間の時間は、５秒以内である。
【０１０２】
ＣＰＲ動作以外の動作は、ボタンを押したときに動作が始まる。ＣＰＲ動作は、緊急時には素早く動作させるため、ＣＰＲ動作のボタン（スイッチ３２３ｍ）を操作する人は、ＣＰＲ動作のボタンを押すことをためらう場合がある。上記のように、例えば、スイッチ３２３ｍが「長押し」される、または、「２度押し」されることで、ＣＰＲ動作が行われる。これにより、よりためらわずにＣＰＲ動作をさせることができる。
【０１０３】
「ＣＰＲ下げ」は、電動ＣＰＲ動作である。この他、手動によるＣＰＲ動作が行われても良い。
【０１０４】
スイッチ３２３ｎは、「ナースコール」である。スイッチ３２３ｎが押されると、ナースコール発信が行われる。ナースコールシステムに情報が伝達される。
【０１０５】
スイッチ３２３ｏが押されると、頭右側サイドレール３２０の内側面３２０Ｇに設けられるスイッチ（後述）の操作が「禁止状態」になる。スイッチ３２３ｐが押されると、ベッド３１０Ｂの動き（アクチュエータ）に関するすべての操作が「禁止状態」になる。この場合において、「ナースコール」及び脚下灯などは、動作可能である。
【０１０６】
スイッチ３２３ｑが押されると、ベッド３１０Ｂなどに設けられる脚下灯が点灯する。
【０１０７】
この例では、スイッチ部３２３は、表示３２３ｒ〜３２３ｔを含む。表示３２３ｒは、バッテリの残量を表示する。表示３２３ｓは、床高が最低ではないときに点灯（例えばオレンジ色）する。表示３２３ｓは、床高が最低のときに消灯する。
【０１０８】
表示３２３ｔは、エラー表示を行う。正常時において、表示３２３ｔは、消える。「Ｕ系異常」のときに、１秒点灯と、１秒消灯と、を繰り返す。「Ｈ系異常」のときに、０．２秒点灯と、０．２秒消灯と、を繰り返す。
【０１０９】
外側面３２０Ｆのスイッチ部３２３（例えば、医療従事者用メンブレンスイッチ）による操作は、内側面３２０Ｇに設けられる後述するスイッチ部（例えば、使用者用メンブレンスイッチ）による操作よりも優先される。例えば、外側と内側のスイッチが同時に押されると、どちらの動作もしない。例えば、外側で背上げをしていて、内側で膝上げボタンを押すと、ベッド３１０Ｂは止まる。両方のボタンを離して、押しなおすとベッド３１０Ｂが動作する。
【０１１０】
図１０（ｃ）は、頭右側サイドレール３２０の外側面３２０Ｆに設けられる角度計３２４を例示している。  
頭右側サイドレール３２０に凹部が設けられ、その凹部設けられた球体（例えば金属球）により角度計３２４となる。背ボトムが上がると、球体が凹部の中を転がる。球体の位置に応じて、角度計３２４の表示部３２４ａの角度表示が変化する。角度計３２４により、背角度の概要を知ることができる。
【０１１１】
図１１（ａ）及び図１１（ｂ）は、実施形態に係るベッド装置の一部を例示する模式図である。  
図１１（ａ）に示すように、頭右側サイドレール３２０の内側面３２０Ｇに、凹部３２８が設けられる。凹部３２８は、フックとして用いることができる。凹部３２８の下方に、孔３２８ｈが設けられる。さらに、内側面３２０Ｇに、スイッチ部３２７が設けられる。スイッチ部３２７は、例えば、メンブレンスイッチ（例えば、使用者用メンブレンスイッチ、または、患者用メンブレンスイッチ）である。
【０１１２】
図１１（ｂ）に示すように、スイッチ部３２７は、スイッチ３２７ａ〜３２７ｄを含む。スイッチ部３２７は、スイッチ３２７ｎを含んでも良い。
【０１１３】
スイッチ３２７ａが押されると、「足上げ」が行われる。スイッチ３２７ｃが押されると、「足下げ」が行われる。
【０１１４】
スイッチ３２７ｂが押されると、「背上げ」が行われる。スイッチ３２７ｄが押されると、「背下げ」が行われる。
【０１１５】
内側面３２０Ｇに、スイッチ３２７ｎが設けられる。スイッチ３２７ｎは、「ナースコール」である。
【０１１６】
内側面３２０Ｇに、ＵＳＢ端子３２７ｕが設けられる。ＵＳＢ端子３２７ｕにＵＳＢプラグが挿入でき、充電などができる。
【０１１７】
上記のような頭右側サイドレール３２０の構成が、頭左側サイドレール３４０にも適用される。
【０１１８】
図１２（ａ）〜図１２（ｃ）は、実施形態に係るベッド装置の一部を例示する模式図である。  
図１２（ａ）及び図１２（ｂ）は、頭左側サイドレール３４０の外側面３４０Ｆに設けられるスイッチ部３４３及び角度計３４４を例示している。図１２（ａ）に示すように、スイッチ部３４３は、スイッチ３４３ａ〜３４３ｑを含む。スイッチ３４３ａ〜３４３ｑは、スイッチ３２３ａ〜３２３ｑと同様の機能を有する。この例では、スイッチ部３４３は、表示３４３ｒ〜３４３ｔを含む。表示３４３ｒ〜３４３ｔは、表示３２３ｒ〜３２３ｔと同様の機能を有する。
【０１１９】
図１２（ｂ）は、角度計３４４を例示している。角度計３４４は、角度計３２４と同様の構造及び機能を有する。角度計３４４の表示部３４４ａにより、背角度の概要を知ることができる。
【０１２０】
図１２（ｃ）に示すように、頭左側サイドレール３４０の内側面３４０Ｇ（図９参照）に、スイッチ部３４７が設けられる。スイッチ部３４７は、スイッチ部３２７と同様の構造及び機能を有する。スイッチ部３４７は、スイッチ３４７ａ〜３４７ｄを含む。スイッチ３４７ａ〜３４７ｄは、スイッチ３２７ａ〜３２７ｄと同様の機能を有する。内側面３２０Ｇに、スイッチ３４７ｎ及びＵＳＢ端子３４７ｕが設けられる。ＵＳＢ端子３４７ｕは省略されても良い。
【０１２１】
図１３（ａ）及び図１３（ｂ）は、実施形態に係るベッド装置の一部を例示する模式図である。  
図１３（ａ）に示すように、足右側サイドレール３３０に、ハンドレール３３５ｇが設けられる。ハンドレール３３５ｇは、貫通孔３３５ｈにより形成される。足右側サイドレール３３０の下部に、下部貫通孔３３５ｆ（例えばハルンバッグフック）が設けられている。下部貫通孔３３５ｆにハルンバッグなどを吊すことができる。
【０１２２】
足右側サイドレール３３０の外側面３３０Ｆに、角度計３３４が設けられる（図１３（ｂ）参照）。角度計３３４は、角度計３２４と同様の構造を有する。角度計３３４の表示部３３４ａにより、角度の概要を知ることができる。
【０１２３】
図１４は、実施形態に係るベッド装置の一部を例示する模式図である。  
図１４に示すように、足右側サイドレール３３０に形成された貫通孔３３５ｈによりハンドレール３３５ｇが得られる。
【０１２４】
図１５は、実施形態に係るベッド装置の一部を例示する模式図である。  
図１５は、足左側サイドレール３５０の外側面３５０Ｆに設けられた角度計３５４を例示している。角度計３５４は、角度計３２４と同様の構造を有する。角度計３５４の表示部３５４ａにより、角度の概要を知ることができる。
【０１２５】
図１６（ａ）及び図１６（ｂ）は、実施形態に係るベッド装置の一部を例示する模式図である。  
図１６（ａ）に示すように、フットボード３７０の外側面３７０Ｆには、貫通孔３７５ｅ（例えばフック部）が設けられている。貫通孔３７５ｅに、ベッド操作装置３８０を吊すことができる。図１６（ｂ）に示すように、貫通孔３７５ｅは、フットボード３７０の内側面３７０Ｇに貫通する。
【０１２６】
ベッド操作装置３８０において、ベッド３１０Ｂに関する各種の設定と、使用者の体重の表示が可能である。ベッド操作装置３８０における「物理ボタン」として、「ホームボタン」が設けられる。ベッド操作装置３８０の例については、後述する。
【０１２７】
図１７（ａ）〜図１７（ｃ）は、実施形態に係るベッド装置の動作を例示する模式的斜視図である。  
これらの図は、マットレス３９０Ｍが設けられていないときの状態を例示している。
【０１２８】
図１７（ａ）に示すように、ベッド３１０Ｂにおいて、ベースフレーム３９０Ｂに、フレーム３９０Ｆが取り付けられる。フレーム３９０Ｆの上に背ボトム７０ａ（back section）、膝ボトム７０ｂ(upper leg section)及び足ボトム７０ｃ(lower leg section)などが設けられる。この例では、腰ボトム７０ｅが設けられている。ベースフレーム３９０Ｂにキャスタ３９０Ｃが設けられても良い。
【０１２９】
図１７（ａ）に示すように、ベッド装置３１０において、フレーム３９０Ｆの角度（傾き）が変更可能である。傾きは、前後の傾きの他、左右の傾きを含んでも良い。
【０１３０】
図１７（ｂ）に示すように、ベッド装置３１０において、背ボトム７０ａ、膝ボトム７０ｂ及び足ボトム７０ｃのそれぞれの角度は、変更可能である。頭右側サイドレール３２０及び頭左側サイドレール３４０の角度は、背ボトム７０ａの角度の変更に応じて変化する。頭右側サイドレール３２０及び頭左側サイドレール３４０は、追従型のサイドレールである。図１７（ｂ）の状態は、カーディアックポジションに対応する。
【０１３１】
図１７（ｂ）の例において、足右側サイドレール３３０及び足左側サイドレール３５０は、「上状態」である。
【０１３２】
図１７（ｃ）に示すように、足右側サイドレール３３０及び足左側サイドレール３５０は、「下状態」にすることができる。
【０１３３】
図１７（ｂ）及び図１７（ｃ）に示すように、ベッド３１０Ｂの高さは変更可能である。高さは、例えば、ベッド３１０Ｂの上面（例えば、ボトムの上面）と、床面と、の間の距離に対応する。
【０１３４】
図１８（ａ）及び図１８（ｂ）は、実施形態に係るベッド装置の使用状態を例示する模式的斜視図である。  
図１８（ａ）は、ベッド３１０Ｂが低い状態を例示している。このとき、介護者など３９８（例えば、介護者または医療従事者など）は、ベッド操作装置３８０をフック部（例えば、頭右側サイドレール３２０の貫通孔３２５ｅ）から外した状態で操作できる。
【０１３５】
図１８（ｂ）は、ベッド３１０Ｂが高い状態を例示している。このとき、介護者など３９９などは、ベッド操作装置３８０がフック部に取り付けられた状態で操作できる。ベッド操作装置３８０は、例えば、３カ所のフック部に取り付けられる。３カ所のフック部は、頭右側サイドレール３２０の貫通孔３２５ｅ、頭左側サイドレール３４０の貫通孔３４５ｅ、及び、フットボード３７０の貫通孔３７５ｅである。
【０１３６】
以下、ベッド装置３１０における電装品の例について説明する。
【０１３７】
図１９は、実施形態に係るベッド装置を例示する模式図である。  
図１９に示すように、ベッド装置３１０において、コントロールボックス４１０が設けられる。この他、ベッド装置３１０において、各種の装置が設けられる。各種の装置は、ジャンクションボックス４２０、メンブレンスイッチ４３０、脚下灯４４０、サイドレールセンサ４５０（ＳＲセンサ）、キャスタロックセンサ４５５（ＣＬセンサ）、ナースコール４５７ａ、ナースコール４５７ｂ、ナースコール中継ユニット４５８、スケールユニット４６０、ロードセル４６５、アクチュエータ４７０及びバッテリ４７５などを含む。各種の装置の一部は、省略されても良い。
【０１３８】
コントロールボックス４１０は、各種の装置と接続可能である。コントロールボックス４１０と、各種の装置との間の接続は、直接、または、ジャンクションボックス４２０を介して行われる。コントロールボックス４１０は、ベッド動作、及び、各種の機能の制御を行う。コントロールボックス４１０は、ベッド装置３１０におけるシリアル通信のマスタとなる。
【０１３９】
コントロールボックス４１０には、プラグ４１０Ｐ（例えば、３ピンプラグ）が設けられる。プラグ４１０Ｐから電力がコントロールボックス４１０に供給される。コントロールボックス４１０から、各種の機器に電力が供給される。
【０１４０】
ジャンクションボックス４２０は、コントロールボックス４１０と、他の各種の機器と、の間の接続を中継する。
【０１４１】
メンブレンスイッチ４３０は、医療従事者用メンブレンスイッチ４３０ａ及び４３０ｂを含む。これらのメンブレンスイッチは、スイッチ部３２３及び３４３に対応する。メンブレンスイッチ４３０は、患者用メンブレンスイッチ４３０ｃ及び４３０ｄを含む。これらのメンブレンスイッチは、スイッチ部３２７及び３４７に対応する。医療従事者用メンブレンスイッチ４３０ａ及び患者用メンブレンスイッチ４３０ｃは、中継ユニット４３１ａを介して、ジャンクションボックス４２０に接続される。医療従事者用メンブレンスイッチ４３０ｂ及び患者用メンブレンスイッチ４３０ｄは、中継ユニット４３１ｂを介して、ジャンクションボックス４２０に接続される。
【０１４２】
医療従事者用メンブレンスイッチ４３０ａ及び４３０ｂには、ベッド操作ボタン（スイッチ）が設けられる。既に説明したように、ベッド操作ボタンは、カーディアック操作ボタン（例えば、連動操作ボタン）、展伸／逆展伸ボタン、カインドモーション操作ボタン（例えば、別の連動操作ボタン）、ＣＰＲボタン、ナースコールボタン、患者用メンブレンスイッチ禁止ボタン、及び、全スイッチ禁止ボタンなどを含む。これらのベッド操作ボタンより、スイッチ部３２３及び３４３に関して説明した動作が行われる。
【０１４３】
患者用メンブレンスイッチ４３０ｃ及び４３０ｄには、ベッド操作ボタンが設けられる。既に説明したように、ベッド操作ボタンは、背ボトム操作ボタン、膝ボトム操作ボタン及びナースコールボタンを含む。患者用メンブレンスイッチ４３０ｃ及び４３０ｄは、充電用端子などを含んでも良い。
【０１４４】
医療従事者用メンブレンスイッチ４３０ａ及び４３０ｂ、及び、患者用メンブレンスイッチ４３０ｃ及び４３０ｄにおいて、ベッド操作ボタンは、上下方向の中間の位置に設けられている。ベッド操作ボタンが下部にあると、操作し難い。ベッド操作ボタンが上部にあると、誤って操作されることがある。ベッド操作ボタンが上下方向の中間の位置にあることで、操作が容易になり、誤操作を抑制できる。
【０１４５】
脚下灯ボタンは、スイッチ３２３ｑ及び３４３ｑに対応する。脚下灯ボタンが押されると、脚下灯４４０が光る。脚下灯４４０により、ベッド３１０Ｂの端部から床面への照明が行われる。脚下灯４４０は、例えば、ベッド３１０Ｂの左右に１つずつ設けられる。脚下灯４４０は、例えば、腰ボトム７０ｅの裏側（下側）の左右の端部に設けられる。脚下灯４４０は、背ボトム７０ａ、膝ボトム７０ｂ及び足ボトム７０ｃ（図１７（ｂ）など参照）などの他の部分に設けられても良い。例えば、脚下灯ボタン（スイッチ３２３ｑ及び３４３ｑ）を押すごとに、脚下灯４４０において、消灯→暗く点灯→明るく点灯→消灯が繰り返して行われる。例えば、医療従事者により、脚下灯４４０が点灯される。例えば、使用者が便所に行く頻度が高い場合などに、使用者の就寝前に、医療従事者が脚下灯４４０を点灯する。例えば、離床が検出された場合、または、ナースコールが発生した場合などに、医療従事者が脚下灯４４０を点灯する。
【０１４６】
例えば、ベッド３１０Ｂの使用者が夜間にトイレ等でベッドを離れる時に、脚下灯４４０が点灯される。このとき、室内は暗い場合が多い。脚下灯４４０がいきなり明るく点灯すると、周囲で就寝している人に迷惑がかかる。最初に暗く点灯することで、迷惑が抑制される。
【０１４７】
サイドレールセンサ４５０は、各サイドレールが上がっているか否かを検出する。４つのサイドレールセンサ４５０が設けられる。４つのサイドレールセンサ４５０は、頭右側用サイドレールセンサ、頭左側用サイドレールセンサ、足右側用サイドレールセンサ及び足左側用サイドレールセンサを含む。検出結果は、例えば、ナースステーションの端末に表示される。検出結果は、ベッド操作装置３８０に表示されても良い。検出結果に基づいて、警告音が発生しても良い。サイドレールセンサ４５０として、例えば、磁気センサまたは気圧センサなどが用いられる。サイドレールセンサ４５０として、他のセンサが用いられても良い。
【０１４８】
キャスタロックセンサ４５５は、キャスタ３９０Ｃがロックがされているか否かを検出する。キャスタロックセンサ４５５として、例えば、磁気センサが用いられる。例えば、キャスタ３９０Ｃにおいて、キャスタ３９０Ｃのロックまたはロック解除と連動するバーなどが設けられる。バーの状態を検知することで、キャスタ３９０Ｃのロック状態を検出できる。キャスタロックセンサ４５５による検出結果は、例えば、ナースステーションの端末に表示される。検出結果は、ベッド操作装置３８０に表示されても良い。キャスタロックセンサ４５５による検出結果に基づいて、警告音が生じても良い。
【０１４９】
ナースコール４５７ａは、ジャンクションボックス４２０に接続される。ナースコール４５７ｂは、ナースコール中継ユニット４５８に接続される。ナースコール中継ユニット４５８により、病院及び施設に設けられるナースコール（例えば、ナースコール４５７ｂ）と連携することができる。ナースコール４５７ａ及び４５７ｂは、国内製または外国製のナースコールである。例えば、ナースコール４５７ａは、外国製である。例えば、ナースコール４５７ｂは、国内製である。
【０１５０】
ロードセル４６５は、ベッド３１０Ｂの４つのコーナ部に設けられる。４つのロードセル４６５が用いられる。ロードセル４６５及びスケールユニット４６０により、使用者の体重を測定することができる。
【０１５１】
アクチュエータ４７０は、高さ変更用のアクチュエータ４７０ａ（「ＨＬＡＣＴ」）、膝ボトム７０ｂ用のアクチュエータ４７０ｂ（「膝ＡＣＴ」）、背ボトム７０ａ用のアクチュエータ４７０ｃ（ＣＰＲ付の「背ＡＣＴ」）、及び、高さ変更用のアクチュエータ４７０ｄ（「ＨＬＡＣＴ」）などを含む。アクチュエータ４７０ａ及び４７０ｄは、荷重センサを含む。
【０１５２】
１つの例において、背ボトム７０ａ用のアクチュエータ４７０ｃは、手動で下げ動作を行うための機械的な機構（以下、手動ＣＰＲ機構と呼ぶ）を含む。手動ＣＰＲ機構により、緊急時に、手動で背ボトム７０ａを下げることができる。例えば、専用のレバーなどが設けられ、このレバーを操作することで、手動により背ボトム７０ａを下げ、ＣＰＲのための姿勢を得ることができる。例えば、手動により、背ボトム７０ａ用のアクチュエータ４７０ｃのブレーキプレートをずらすことができる。これにより、アクチュエータ４７０ｃのブレーキが解除され、背ボトム７０ａが自重で下がる。
【０１５３】
アクチュエータ４７０は、ベッド３１０Ｂに含まれる可動部を調整する駆動源となる。アクチュエータ４７０は、伸縮ロッドの動作によって、リンク機構などを介して、可動部を動作させる。アクチュエータのそれぞれに、位置センサが設けられる。コントロールボックス４１０により、位置情報が読み取られる。アクチュエータ４７０の荷重センサにより、ベッド３１０Ｂの上の使用者（患者など）の移動（例えば離床を含む）の判断が行われても良い。
【０１５４】
バッテリ４７５は、停電時、または、ベッド３１０Ｂが搬送中などにおいて、電力を供給する。電力供給がない状況においても所望の動作が得られる。バッテリ４７５への充電をする/しないの切替スイッチが設けられても良い。切替スイッチの状態によらず、ベッド３１０Ｂに電力（ＡＣ電源）が供給されている状態ならば、充電が可能でも良い。
【０１５５】
例えば、ベッド装置３１０がＡＣ電源により駆動されているときに、コントロールボックス４１０から、バッテリ４７５、エアマットレス制御ユニット４８２及びＵＳＢ充電器４８８（図１９参照）に電力が供給される。ＡＣ電源から電力が供給されないときに、バッテリ４７５から、コントロールボックス４１０、エアマットレス制御ユニット４８２及びＵＳＢ充電器４８８に電力が供給される。ＡＣ電源から電力が供給されず、バッテリ４７５からからも電力が供給されない場合、ベッド３１０Ｂは動作しない。
【０１５６】
図１９に示すように、ベッド装置３１０において、睡眠センサ４８１、エアマットレス制御ユニット４８２及びベッド操作装置３８０が設けられる。ベッド装置３１０において、手元スイッチ４８３が設けられても良い。
【０１５７】
睡眠センサ４８１は、ベッド３１０Ｂの使用者（患者など）の睡眠状況を測定する。ベッド操作装置３８０が設けられる場合、睡眠状況の測定結果、及び、睡眠履歴が、ベッド操作装置３８０に出力（例えば表示）されても良い。
【０１５８】
例えば、コントロールボックス４１０にエアマットレス制御ユニット４８２用のコネクタが設けられる。エアマットレスにおいて、ベッド３１０Ｂの姿勢にあわせた連動動作が行われても良い。連動動作は、エアマットレスの種類によって異なっても良い。エアマットレスの動作の設定及び変更がベッド操作装置３８０により行われても良い。
【０１５９】
ベッド装置３１０において、補助コンセント４８５がさらに設けられている。この例では、２つの補助コンセント４８５が設けられる。補助コンセント４８５は、プラグ受け装置である。補助コンセント４８５は、プラグ４８５Ｐを含む。プラグ４８５Ｐは、医療用の規格を満たすプラグである。プラグ４８５Ｐは、３ピンプラグである。プラグ４８５Ｐは、コントロールボックス４１０のプラグ４１０Ｐとは別に設けられる。
【０１６０】
ベッド装置３１０は、ＵＳＢ充電器４８８（図１９参照）を含んでも良い。ＵＳＢ充電器４８８は、ＵＳＢ端子３２７ｕ（または３４７ｕ）に対応する。ＵＳＢ充電器４８８は、ＵＳＢ充電に対応した機器への給電を行う。ＵＳＢ充電器４８８のポート数は１でも良い。ＵＳＢ充電器４８８の出力定格は、ＤＣ５Ｖ／１Ａである。ポートは、右側サイドレールの患者用メンブレンスイッチ４３０ｃに設けられる。
【０１６１】
ベッド装置３１０は、エラー表示用ＬＥＤを含んでも良い。エラー表示用ＬＥＤは、表示３２３ｔ及び３４３ｔに対応する。
【０１６２】
ベッド装置３１０において、ベッド３１０Ｂの使用者の離床が検出されても良い。例えば、ロードセル４６５により離床が検出される。例えば、アクチュエータに内蔵された荷重センサにより、離床が検出される。離床に関する情報は、ナースコールシステムに伝達され、ナースステーションの端末に出力される。離床に関する情報は、ベッド操作装置３８０に出力されても良い。離床に関する情報の出力は、例えば、ランプ等の視覚的な刺激、または、警告音のような聴覚的な刺激を含んでもよい。
【０１６３】
以下、ベッド操作装置３８０の例について説明する。  
ベッド操作装置３８０は、ベッド３１０Ｂに接続される。ベッド操作装置３８０において、ベッド３１０Ｂに関する設定が実施でき、表示が行われる。ベッド操作装置３８０における表示の言語の切替が、可能である。例えば、日本語、英語、中国語またはポルトガル語による表示が可能である。ベッド操作装置３８０は、例えば、左右のサイドレール、または、フットボード３７０に取り付けられる。
【０１６４】
ベッド装置３１０に設けられるベッド操作装置３８０の数の最大は、例えば、３である。１つの例において、ベッド３１０Ｂに、１つのベッド操作装置３８０、または、１つの手元スイッチ４８３（後述）が接続される。別の例において、ベッド３１０Ｂに、１つのベッド操作装置３８０、及び、１つの手元スイッチ４８３が接続される。別の例において、ベッド３１０Ｂに、２つのベッド操作装置３８０が接続される。別の例において、ベッド３１０Ｂに、２つのベッド操作装置３８０、及び、１つの手元スイッチ４８３が接続される。別の例において、ベッド３１０Ｂに、３つのベッド操作装置３８０が接続される。
【０１６５】
図２０（ａ）及び図２０（ｂ）は、実施形態に係るベッド装置の一部を例示する模式図である。  
図２０（ａ）は、主にヘッド側サイドレール（頭右側サイドレール３２０または頭左側サイドレール３４０）に設けられるベッド操作装置３８０を例示している。ベッド操作装置３８０は、表示入力部３８０Ｄを含む。ベッド操作装置３８０には、ホームボタン３８０ｈが設けられる。
【０１６６】
図２０（ｂ）に示すように、表示入力部３８０Ｄに各種の表示が可能である。表示入力部３８０Ｄにより、ベッド３１０Ｂの姿勢、及び、使用者の体重が表示可能である。表示入力部３８０Ｄにより、離床センサの設定が可能である。表示入力部３８０Ｄにより、睡眠センサ４８１に関する表示が可能である。表示入力部３８０Ｄにより、エアマットレスの操作が可能である。表示入力部３８０Ｄにより、エラーの表示が可能である。
【０１６７】
図２１（ａ）及び図２１（ｂ）は、実施形態に係るベッド装置の一部を例示する模式図である。  
図２１（ａ）は、主にフットボード３７０に設けられるベッド操作装置３８０を例示している。ベッド操作装置３８０は、表示入力部３８０Ｄを含む。ベッド操作装置３８０には、ホームボタン３８０ｈに加えて、上昇ボタン３８０ａ、下降ボタン３８０ｂ及びＣＰＲボタン３８０ｃが設けられる。上昇ボタン３８０ａまたは下降ボタン３８０ｂにより、ベッド３１０Ｂの可動部の上昇または下降が行われる。ＣＰＲボタン３８０ｃにより、ＣＰＲのための姿勢に以降する。
【０１６８】
図２１（ｂ）に示すように、表示入力部３８０Ｄに各種の表示が可能である。表示入力部３８０Ｄにより、ベッド３１０Ｂの操作が可能である。ベッド操作は、例えば、カーディアック動作、傾斜動作、連動動作（カインド動作）、背上げ下げ、膝上げ下げ、及び、高さ上げ下げなどを含む。表示入力部３８０Ｄにより、使用者の体重が表示可能である。表示入力部３８０Ｄにより、離床センサの設定が可能である。表示入力部３８０Ｄにより、睡眠センサ４８１に関する表示が可能である。表示入力部３８０Ｄにより、エアマットレスの操作が可能である。表示入力部３８０Ｄにより、エラーの表示が可能である。
【０１６９】
以下、手元スイッチ４８３の例について説明する。  
図２２は、実施形態に係るベッド装置の一部を例示する模式図である。  
図２２は、手元スイッチ４８３を例示している。手元スイッチ４８３は、スイッチペア４８３ａ〜４８３ｄを含む。スイッチペア４８３ａは、「連動」動作に関する上昇または下降のためのスイッチを含む。スイッチペア４８３ｂは、「背上げ」動作に関する上昇または下降のためのスイッチを含む。スイッチペア４８３ｃは、「足上げ」動作に関する上昇または下降のためのスイッチを含む。スイッチペア４８３ｄは、「高さ」変更動作に関する上昇または下降のためのスイッチを含む。
【０１７０】
手元スイッチ４８３の表示部４８３Ｄに角度または高さが表示されても良い。手元スイッチ４８３は、ケーブル４８３ｅなどにより、例えば、コントロールボックス４１０と接続される。
【０１７１】
以下、補助コンセント４８５の例について説明する。  
図２３は、実施形態に係るベッド装置の一部を例示する模式的斜視図である。  
図２３は、補助コンセント４８５（例えばプラグ受け装置）を例示している。ベッド３１０Ｂの周辺で使用される電子機器類のプラグが、補助コンセント４８５に接続されることが可能である。既に説明したように、補助コンセント４８５のプラグ４８５Ｐは、コントロールボックス４１０のプラグ４１０Ｐとは別に設けられる。補助コンセント４８５は、２組のプラグ受け（プラグの差し込み孔）を有する。２組のプラグ受けは、左右に並ぶ。
【０１７２】
図２４は、実施形態に係るベッド装置の一部を例示する模式図である。  
図２４は、背ボトム７０ａ、膝ボトム７０ｂ、足ボトム７０ｃ及び腰ボトム７０ｅを例示している。背ボトム７０ａ、膝ボトム７０ｂ及び足ボトム７０ｃのそれぞれの角度は変更可能である。ボトム間の角度が定められた値（例えば９０度）以下にならないように制御される。例えば、背ボトム７０ａの下端及び膝ボトム７０ｂの上端を結ぶ線（図２４における破線）と、背ボトム７０ａと、の間の角度が、定められた値（例えば９０度）以下になるように制御される。例えば、複数のボトムのいずれかの動きの制御（連動）により、角度が定められた値以下にされる。
【０１７３】
背ボトム７０ａの動作角度は、例えば、０度〜７０度である。膝ボトム７０ｂの動作角度は、０度以上２５度以下である。「高さ」の動作範囲は、例えば、４３ｃｍである。床高は、ベッドフレームにより異なっても良い。床高の範囲は、例えば、３０ｃｍ〜７３ｃｍｍ、３２．５ｃｍ〜７５．５ｃｍ、または、３５ｃｍ〜７８ｃｍである。
【０１７４】
ボトムの傾斜の動作角度は、−１５度〜１５度である。例えば、ベッドフレーム内の干渉を避けるため、「最低床高＋３ｃｍ」の高さまで、高さを調節した後に、傾斜動作が行われる。
【０１７５】
カーディアックポジションおよびボトムフラットへの動作は、傾斜動作を伴う。これらの動作において、使用者の滑り落ちに配慮した動作シーケンスが適用される。
【０１７６】
電動ＣＰＲ動作においては、以下の順番で動作が行われる。その際、同時動作が可能であれば、同時動作が行われても良い。電動ＣＰＲ動作において、まず、背ボトム７０ａ用のアクチュエータ４７０ｃ（「背ＡＣＴ」）のストロークを下限まで動作させる。電動ＣＰＲ動作のためのボタンが押されてから、３０秒以内に、アクチュエータ４７０ｃの下限まで到達する。その後、斜動作が行われ、傾斜角度が０度になる。その後、高さ調節が行われ、高さが最低床高になる。最低床高は、例えば、「一旦停止高さ」である。その後、膝ボトム７０ｂを０度になる動作させる。
【０１７７】
ベッド装置３１０において、ベッド操作装置３８０の操作により、各種の動作に関するボタン操作を「操作禁止」状態にすることができる。
【０１７８】
図２５（ａ）及び図２５（ｂ）は、実施形態に係るベッド装置の一部を例示する模式図である。  
これらの図は、ベッド操作装置３８０の表示入力部３８０Ｄを例示している。図２５（ａ）は、表示入力部３８０Ｄがベッド操作画面３８１である場合を例示している。図２５（ｂ）は、表示入力部３８０Ｄがアクチュエータ個別操作禁止画面３８３（ベッド設定画面）である場合を例示している。
【０１７９】
図２５（ａ）に示すように、例えば、ボタン３８２ａ〜３８２ｆなどが設けられる。これらのボタンは、例えば、タッチ式入力装置における入力受け付け領域である。これらのボタンをタッチすることで、ベッド操作が行われる。ボタン３８２ａにより、カーディアック動作が行われる。ボタン３８２ｂにより、傾斜動作が行われる。ボタン３８２ｃにより、連動動作（「カインド動作」）が行われる。ボタン３８２ｄにより、背動作（背角度の変更）が行われる。ボタン３８２ｅにより、膝動作（膝角度の変更）が行われる。ボタン３８２ｆにより、高さ動作（高さの変更）が行われる。例えば、ベッド３１０Ｂの背を上げる場合、ボタン３８２ｄを押して、そのあとに上昇ボタン３８０ａを押すと、ベッド３１０Ｂが動く。ベッド３１０Ｂは、上昇ボタン３８０ａを押している期間に動く。例えば、ベッドの高さを下げる場合、ボタン３８２ｆを押して、その後に下降ボタン３８０ｂを押すと、下降ボタン３８０ｂ押している期間にベッド３１０Ｂの高さが下がる。
【０１８０】
図２５（ｂ）に示すように、表示入力部３８０Ｄは、アクチュエータ個別操作禁止画面３８３（ベッド設定画面）に移行できる。表示入力領域３８３ａの操作により、背動作、膝動作、高さ動作及び傾斜動作のそれぞれが、個別に操作禁止にできる。表示入力領域３８３ｂの操作により、全ての操作を禁止でき、または、操作禁止を解除できる。表示入力領域３８３ｃの操作により、手元スイッチ４８３の操作を禁止でき、または、操作禁止を解除できる。
【０１８１】
例えば、背動作が操作禁止の場合、カーディアック動作、連動動作及び背動作が禁止になる。例えば、膝動作が操作禁止の場合、カーディアック動作、連動動作及び膝動作が禁止になる。例えば、高さ動作が操作禁止の場合、カーディアック動作、傾斜動作及び高さ動作が禁止になる。例えば、傾斜動作が操作禁止の場合、カーディアック動作及び傾斜動が禁止になる。
【０１８２】
１つの例において、「全操作禁止」が可能である。別の例において、アクチュエータ４７０（４７０ａ〜４７０ｄ（図１９参照）など）が選択的（個別）に「操作禁止」にされても良い。アクチュエータ４７０「操作禁止」の解除は、ベッド操作装置３８０により解除される。
【０１８３】
ベッド操作装置３８０がベッド３１０Ｂから外された場合、または、ベッド操作装置３８０の接続のケーブルが断線した場合などにおいては、アクチュエータ４７０の選択的な「操作禁止」が解除できない。この際、「全操作禁止」の解除により、アクチュエータ４７０の「操作禁止」が解除できる。
【０１８４】
アクチュエータ４７０の操作禁止と、手元スイッチ４８３の操作禁止、または、「全操作禁止」は、独立して管理される。例えば、アクチュエータ４７０が個別操作禁止である場合に、「全操作禁止」とし、その後、「全操作禁止」を解除しても、アクチュエータ４７０の個別操作禁止は残る。
【０１８５】
禁止にされたボタンが押されると、ブザー音が鳴り、メンブレンスイッチの禁止ＬＥＤ（例えば、表示３２３ｔ及び３４３ｔなど）が点滅する。ブザー音が鳴らないと、ボタンが禁止されているのか、壊れているのかわからない。ブザー音がなることで、ボタンが禁止されているがわかる。
【０１８６】
手元スイッチ４８３において禁止にされたボタンが押されると、手元スイッチ４８３が鳴動する。メンブレンスイッチにおいて禁止にされたボタンが押されると、例えば、ジャンクションボックス４２０が鳴動する。
【０１８７】
医療従事者用メンブレンスイッチまたはベッド操作装置３８０の操作により、患者用メンブレンスイッチ及び手元スイッチ４８３が操作禁止状態にできる。操作禁止は、医療従事者用メンブレンスイッチまたはベッド操作装置３８０が接続されていれば、解除が可能である。
【０１８８】
医療従事者用メンブレンスイッチまたはベッド操作装置３８０の操作により、全ての操作を禁止できる（「全操作禁止」）。この操作禁止について、医療従事者用メンブレンスイッチまたはベッドナビのいずれかが接続されていれば、解除が可能である。
【０１８９】
例えば、ベッド操作装置３８０がベッド３１０Ｂに接続されていない場合、または、部分的な故障（通信不成立）などの場合において、「全操作禁止」は、解除される。この場合、例えば、手元スイッチ４８３により操作が可能である。使用者に操作させない場合は、手元スイッチ４８３を外しても良い。禁止にされたボタンが押されると、ブザー音が鳴り、メンブレンスイッチの禁止ＬＥＤが点滅する。
【０１９０】
手元スイッチ４８３が操作禁止状態のときに、「全操作禁止」のボタンが押されると、「全操作禁止」になる。その後、「全操作禁止」が押されると、手元スイッチ４８３の操作禁止、及び、全操作禁止が解除される。「全操作禁止」のときも、ＣＰＲ動作が行われる。「操作禁止」、「手元スイッチ操作禁止」、及び、「全操作禁止」のどの場合も、ＣＰＲ動作は行われる。
【０１９１】
例えば、「現在の設定」において、手元スイッチ４８３が操作禁止でなく、「全操作禁止」でない場合に、手元スイッチ４８３の操作禁止のボタンが押されると、手元スイッチ４８３は操作禁止になり、「全操作」は操作禁止ではない（解除状態）。
【０１９２】
例えば、「現在の設定」において、手元スイッチ４８３が操作禁止でなく、「全操作禁止」でない場合に、「全操作禁止」のボタンが押されると、手元スイッチ４８３及び全操作が禁止になる。
【０１９３】
例えば、「現在の設定」において、手元スイッチ４８３が操作禁止であり、「全操作禁止」でない場合に、手元スイッチ４８３の操作禁止のボタンが押されると、手元スイッチ４８３は操作禁止ではなく（解除状態）、「全操作」は操作禁止ではない（解除状態）。
【０１９４】
例えば、「現在の設定」において、手元スイッチ４８３が操作禁止であり、「全操作禁止」でない場合に、「全操作禁止」のボタンが押されると、手元スイッチ４８３及び全操作が禁止になる。
【０１９５】
例えば、「現在の設定」において、手元スイッチ４８３が操作禁止であり、「全操作禁止」である場合に、手元スイッチ４８３の操作禁止のボタンが押されると手元スイッチ４８３及び全操作が禁止になる。
【０１９６】
例えば、「現在の設定」において、手元スイッチ４８３が操作禁止であり、「全操作禁止」である場合に、「全操作禁止」のボタンが押されると、手元スイッチ４８３が操作禁止ではなくなり（解除状態）、全操作禁止ではなくなる（解除状態）。
【０１９７】
図２５（ｂ）に例示する表示入力領域３８３ｄの操作により、動作速度を変更できる。例えば、種々の動作の速度は、複数の段階（例えば２段階など）で変更可能である。
【０１９８】
ベッド装置３１０の各種の動作に関する履歴が保存されても良い。例えば、コントロールボックス４１０などのメモリに、履歴が保存される。履歴が保存されるメモリは、ジャンクションボックス４２０または手元スイッチ４８３などに設けられても良い。履歴が保存されるメモリは、ベッド操作装置３８０に設けられても良い。履歴に関する情報は、電源のオン／オフによってリセットされない。履歴に関する情報は、例えば、コントロールボックス４１０の稼動履歴、アクチュエータ４７０の稼動履歴、手元スイッチ４８３の稼動履歴、操作内容履歴、故障履歴、及び、離在床履歴を含む。
【０１９９】
実施形態によれば、安定して取り付け可能なプラグ受け装置及びベッド装置が提供できる。
【０２００】
以上、具体例を参照しつつ、本発明の実施の形態について説明した。しかし、本発明は、これらの具体例に限定されるものではない。例えば、プラグ受け装置及びベッド装置に含まれるプラグ受けモジュール、第１部材、第２部材、プラグ受け部及びフレームなどの各要素の具体的な構成に関しては、当業者が公知の範囲から適宜選択することにより本発明を同様に実施し、同様の効果を得ることができる限り、本発明の範囲に包含される。
【０２０１】
また、各具体例のいずれか２つ以上の要素を技術的に可能な範囲で組み合わせたものも、本発明の要旨を包含する限り本発明の範囲に含まれる。
【０２０２】
その他、本発明の実施の形態として上述したプラグ受け装置及びベッド装置を基にして、当業者が適宜設計変更して実施し得る全てのプラグ受け装置及びベッド装置も、本発明の要旨を包含する限り、本発明の範囲に属する。
【０２０３】
その他、本発明の思想の範疇において、当業者であれば、各種の変更例及び修正例に想到し得るものであり、それら変更例及び修正例についても本発明の範囲に属するものと了解される。
【符号の説明】
【０２０４】
１０…第１部材、  １１、１２…第１、第２部分、  １２ａ、１２ｂ…第１、第２端部、  １２ｐ、１２ｑ…孔、  １３、１４…側部、  １５…空間、  ２０…第２部材、  ２３〜２７…第３〜第７部分、  ２４ｅ…端部、  ２５ａ、２５ｂ…端部、  ２６ｅ…端部、  ２７ａ、２７ｂ…端部、  ２８ａ…固定部材、  ３０…プラグ受け部、  ３０ｆ…挿入面、  ３０ｆｃ、３０ｆｄ…第３、第４端部、  ３１、３２…第１、第２プラグ受け、  ３１ａ〜３１ｃ…第１〜第３プラグ受け孔、  ４０…筐体、  ４０ａ、４０ｂ…第１、第２領域、  ４０ｕ…上面、  ４１…上部分、  ４２…下部分、  ４３…前部分、  ４３ｏ…開口部、  ４５…庇部、  ４８…構造体、７０ａ…背ボトム、  ７０ｂ…膝ボトム、  ７０ｃ…足ボトム、  ７０ｅ…腰ボトム、  ７１、７２…第１、第２フレーム、  ７２Ｃ…接続部材、  ８１…プラグ、  ８２、８３…ケーブル、  １１０…ベッド装置、  ２１０…プラグ受け装置、  ２１０Ｍ…プラグ受けモジュール、  Ｄ１〜Ｄ３…第１〜第３方向、  ｄ１、ｄ２…第１、第２距離、  ３１０…ベッド装置、  ３１０Ｂ…ベッド、  ３２０…頭右側サイドレール、  ３２０Ｆ…外側面、  ３２０Ｇ…内側面、  ３２３…スイッチ部、  ３２３ａ〜３２３ｑ…スイッチ、  ３２３ｒ〜３２３ｔ…表示、  ３２４…角度計、  ３２４ａ…表示部、  ３２５ａ…凸部、  ３２５ｂ…凹部、  ３２５ｃ…頭側凸部、  ３２５ｄ…頭側凹部、  ３２５ｅ…貫通孔、  ３２５ｆ…下部貫通孔、  ３２５ｇ…ハンドレール、  ３２５ｈ…貫通孔、  ３２７…スイッチ部、  ３２７ａ〜３２７ｄ…スイッチ、  ３２７ｎ…スイッチ、  ３２７ｕ…ＵＳＢ端子、  ３２８…凹部、  ３２８ｈ…孔    ３３０…足右側サイドレール、  ３３０Ｆ…外側面、  ３３０Ｇ…内側面、  ３３４…角度計、  ３３４ａ…表示部、  ３３５ｆ…下部貫通孔、  ３３５ｇ…ハンドレール、  ３３５ｈ…貫通孔、  ３４０…頭左側サイドレール、  ３４０Ｆ…外側面、  ３４０Ｇ…内側面、  ３４３…スイッチ部、  ３４３ａ〜３４３ｑ…スイッチ、  ３４３ｒ〜３４３ｔ…表示、  ３４４…角度計、  ３４４ａ…表示部、  ３４５ｅ…貫通孔、  ３４７…スイッチ部、  ３４７ａ〜３４７ｄ…スイッチ、  ３４７ｎ…スイッチ、  ３４７ｕ…端子、  ３５０…足左側サイドレール、  ３５０Ｆ…外側面、  ３５０Ｇ…内側面、  ３５４…角度計、  ３５４ａ…表示部、  ３５５ｇ…ハンドレール、  ３６０…ヘッドボード、  ３７０…フットボード、  ３７０Ｆ…外側面、  ３７０Ｇ…内側面、  ３７５ｅ…貫通孔、  ３８０…ベッド操作装置、  ３８０Ｄ…表示入力部、  ３８０ａ…上昇ボタン、  ３８０ｂ…下降ボタン、  ３８０ｃ…ＣＰＲボタン、  ３８０ｈ…ホームボタン、  ３８１…ベッド操作画面、  ３８２ａ〜３８２ｆ…ボタン、  ３８３…アクチュエータ個別操作禁止画面、  ３８３ａ〜３８３ｄ…表示入力領域、  ３９０Ｂ…ベースフレーム、  ３９０Ｃ…キャスタ、  ３９０Ｆ…フレーム、  ３９０Ｍ…マットレス、  ３９８…介護者など、  ４１０…コントロールボックス、  ４１０Ｐ…プラグ、  ４２０…ジャンクションボックス、  ４３０…メンブレンスイッチ、  ４３０ａ、４３０ｂ…医療従事者用メンブレンスイッチ、  ４３０ｃ、４３０ｄ…患者用メンブレンスイッチ、  ４３１ａ、４３１ｂ…中継ユニット、  ４４０…脚下灯、  ４５０…サイドレールセンサ、  ４５５…キャスタロックセンサ、  ４５７ａ、４５７ｂ…ナースコール連携、  ４５８…ナースコール中継ユニット、  ４６０…スケールユニット、  ４６５…ロードセル、  ４７０…アクチュエータ、  ４７０ａ〜４７０ｄ…アクチュエータ、  ４７５…バッテリ、  ４８１…睡眠センサ、  ４８２…エアマットレス制御ユニット、  ４８３…手元スイッチ、  ４８３Ｄ…表示部、  ４８３ａ〜４８３ｄ…スイッチペア、  ４８３ｅ…ケーブル、  ４８５…補助コンセント、  ４８５Ｐ…プラグ、  ４８８…充電器
【図１】
2020137725.tif 000003
【図２】
2020137725.tif 000004
【図３】
2020137725.tif 000005
【図４】
2020137725.tif 000006
【図５】
2020137725.tif 000007
【図６】
2020137725.tif 000008
【図７】
2020137725.tif 000009
【図８】
2020137725.tif 000010
【図９】
2020137725.tif 000011
【図１０】
2020137725.tif 000012
【図１１】
2020137725.tif 000013
【図１２】
2020137725.tif 000014
【図１３】
2020137725.tif 000015
【図１４】
2020137725.tif 000016
【図１５】
2020137725.tif 000017
【図１６】
2020137725.tif 000018
【図１７】
2020137725.tif 000019
【図１８】
2020137725.tif 000020
【図１９】
2020137725.tif 000021
【図２０】
2020137725.tif 000022
【図２１】
2020137725.tif 000023
【図２２】
2020137725.tif 000024
【図２３】
2020137725.tif 000025
【図２４】
2020137725.tif 000026
【図２５】
2020137725.tif 000027